(57)【要約】    【課題】パンチルトボタンを操作しても、来訪者にパンチルト操作していることが察知されず、また、親機のモニタと増設親機のモニタに別個の撮像を出画させることができるようにする。    【解決手段】本発明のテレビドアホン装置は、子機１ａのカメラ１４で撮像された映像を親機３および／または増設親機５のモニタ３２、５２に出画させ、パンチルトボタン４０、６０を操作し、モニタに出画させる出画範囲を移動させるものであって、撮像された映像のうちパンチルトボタンの操作により指定された領域の映像を拡大／縮小するスケーラ４３、６３と、撮像された全体映像とスケーラにより指定された領域の映像を拡大／縮小した映像とを切り替えてモニタに出画するモニタ制御回路４４、６４を備える。    【選択図】図１
2006101327.tif 000002
【特許請求の範囲】
【請求項１】
子機（１ａ）のカメラ（１４）で撮像された映像を親機（３）および／または増設親機（５）のモニタ（３２、５２）に出画させ、パンチルトボタン（４０、６０）を操作し、前記モニタに出画させる出画範囲を移動させるテレビドアホン装置であって、
撮像された映像のうち前記パンチルトボタンの操作により指定された領域の映像を拡大／縮小するスケーラ（４３、６３）と、撮像された全体映像と前記スケーラにより指定された領域の映像を拡大／縮小した映像とを切り替えて前記モニタに出画するモニタ制御回路（４４、６４）を備えることを特徴とするテレビドアホン装置。
【請求項２】
子機（１ａ）のカメラ（１４）で撮像された映像を親機（３）および／または増設親機（５）のモニタ（３２、５２）に出画させ、パンチルトボタン（４０、６０）を操作し、前記モニタに出画させる出画範囲を移動させるテレビドアホン装置であって、
撮像された映像のうち前記パンチルトボタンの操作により指定された領域の映像を拡大／縮小するスケーラ（４３、６３）と、撮像された全体映像と前記スケーラにより指定された領域の映像を拡大／縮小した映像との複数映像を前記モニタに合成出画するモニタ制御回路（４４、６４）を備えることを特徴とするテレビドアホン装置。
【請求項３】
複数の子機（１ａ、１ｂ）のカメラ（１４）でそれぞれ撮像された映像を親機（３）および／または増設親機（５）のモニタ（３２、５２）に出画させ、パンチルトボタン（４０、６０）を操作し、前記モニタに出画させる出画範囲を移動させるテレビドアホン装置であって、
撮像された映像のうち前記パンチルトボタンの操作により指定された領域の映像を拡大／縮小するスケーラ（４３、６３）と、撮像された全体映像と前記スケーラにより指定された領域の映像を拡大／縮小した映像とを切り替えて前記モニタに出画するモニタ制御回路（４４、６４）を備えることを特徴とするテレビドアホン装置。
【請求項４】
複数の子機（１ａ、１ｂ）のカメラ（１４）でそれぞれ撮像された映像を親機（３）および／または増設親機（５）のモニタ（３２、５２）に出画させ、パンチルトボタン（４０、６０）を操作し、前記モニタに出画させる出画範囲を移動させるテレビドアホン装置であって、
撮像された映像のうち前記パンチルトボタンの操作により指定された領域の映像を拡大／縮小するスケーラ（４３、６３）と、撮像された全体映像と前記スケーラにより指定された領域の映像を拡大／縮小した映像との複数映像を前記モニタに合成出画するモニタ制御回路（４４、６４）を備えることを特徴とするテレビドアホン装置。
【請求項５】
子機（１ａ）のカメラ（１４）で撮像された映像を親機（３）および／または増設親機（５）のモニタ（３２、５２）に出画させ、パンチルトボタン（４０、６０）を操作し、前記モニタに出画させる出画範囲を移動させ、前記子機の前記カメラで撮像された映像をメモリ（４２、６２）に静止画録画もしくは動画録画するテレビドアホン装置であって、
録画された映像のうち前記パンチルトボタンの操作により指定された領域の映像を拡大／縮小するスケーラ（４３、６３）と、録画された全体映像と前記スケーラにより指定された領域の映像を拡大／縮小した映像とを切り替えて前記モニタに出画するモニタ制御回路（４４、６４）を備えることを特徴とするテレビドアホン装置。
【請求項６】
子機（１ａ）のカメラ（１４）で撮像された映像を親機（３）および／または増設親機（５）のモニタ（３２、５２）に出画させ、パンチルトボタン（４０、６０）を操作し、前記モニタに出画させる出画範囲を移動させ、前記子機の前記カメラで撮像された映像をメモリ（４２、６２）に静止画録画もしくは動画録画するテレビドアホン装置であって、
録画された映像のうち前記パンチルトボタンの操作により指定された領域の映像を拡大／縮小するスケーラ（４３、６３）と、録画された全体映像と前記スケーラにより指定された領域の映像を拡大／縮小した映像との複数映像を前記モニタに合成出画するモニタ制御回路（４４、６４）を備えることを特徴とするテレビドアホン装置。
【請求項７】
前記モニタ制御回路は、切替ボタン（４８、６８）の操作により前記モニタに合成出画する複数映像の表示位置、表示サイズを互いに切り替えるものであることを特徴とする請求項２、請求項４及び請求項６何れか１項記載のテレビドアホン装置。
【発明の詳細な説明】
【技術分野】
【０００１】
本発明はテレビドアホン装置に係わり、特に、子機のカメラで撮像された映像の出画範囲を移動させるパンチルトボタンを備えたテレビドアホン装置に関する。
【背景技術】
【０００２】
従来から、この種のテレビドアホン装置として、来訪者の映像を撮像するパンチルト機構付テレビカメラ及びパンチルト機構付テレビカメラで撮像された映像信号を変調する映像信号変調回路を設けたカメラ付集合玄関機（子機）と、映像信号変調回路で変調された映像信号を伝送する２線平衡伝送路と、２線平衡伝送路にバス方式で接続された複数のテレビモニタ付住戸インターホン（親機）と、テレビモニタ付住戸インターホン（親機）に設けられ、２線平衡伝送路へ映像信号に重畳されるパンチルト制御信号を送信するパンチルト制御信号送出回路とを備えている。
【０００３】
このような構成のテレビドアホン装置によれば、パンチルト制御信号を映像信号に重畳でき、出画範囲の自由度を増加できる。
【０００４】
【特許文献１】実開平６−３４３８６号公報（段落番号「０００６」、「００１４」、図１）
【発明の開示】
【発明が解決しようとする課題】
【０００５】
しかしながら、このような構成のテレビドアホン装置においては、次のような難点があった。
【０００６】
第１に、居住者がパンチルトボタンを操作すると、パンチルト駆動部が駆動し、またカメラの角度の移動によりノイズが発生するため、来訪者にパンチルト操作していることが察知されてしまう虞がある。
【０００７】
第２に、居住者が親機のパンチルトボタンを操作すると、同時に増設親機のモニタに出画される出画範囲も変化するため、親機のモニタと増設親機のモニタには別個の映像を出画することができない。
【０００８】
第３に、モニタに出画される映像は拡大／縮小することができないため、子機で来訪者の顔を局所的に拡大して確認したいという要求と、来訪者を含む玄関先の全体的な様子を確認したいという要求を両立させることができず、また、両者の映像を同時に確認することもできない。
【０００９】
第４に、親機のメモリに保存された録画映像において、例えば来訪者の顔が外れている場合、居住者がパンチルトボタンを操作してもモニタの画面に来訪者の顔を出画させることができない。
【００１０】
本発明は、このような難点を解決するためになされたもので、パンチルトボタンを操作しても、来訪者にパンチルトボタンを操作していることが察知されず、また、親機のモニタと増設親機のモニタに別個の映像を出画させることができ、さらに、１つの子機で来訪者の顔を局所的に拡大して確認したいという要求と、来訪者を含む玄関先の全体的な様子を確認したいという要求を両立させることができ、また、局所的に拡大した来訪者の顔等と、来訪者を含む玄関先の全体的な様子を同時に確認することができるテレビドアホン装置を提供することを目的としている。
【課題を解決するための手段】
【００１１】
このような目的を達成するため、本発明の第１の態様であるテレビドアホン装置は、子機のカメラで撮像された映像を親機および／または増設親機のモニタに出画させ、パンチルトボタンを操作し、モニタに出画させる出画範囲を移動させるテレビドアホン装置であって、撮像された映像のうちパンチルトボタンの操作により指定された領域の映像を拡大／縮小するスケーラと、撮像された全体映像とスケーラにより指定された領域の映像を拡大／縮小した映像とを切り替えてモニタに出画するモニタ制御回路を備えるものである。
【００１２】
本発明の第２の態様であるテレビドアホン装置は、子機のカメラで撮像された映像を親機および／または増設親機のモニタに出画させ、パンチルトボタンを操作し、モニタに出画させる出画範囲を移動させるテレビドアホン装置であって、撮像された映像のうちパンチルトボタンの操作により指定された領域の映像を拡大／縮小するスケーラと、撮像された全体映像とスケーラにより指定された領域の映像を拡大／縮小した映像との複数映像をモニタに合成出画するモニタ制御回路を備えるものである。
【００１３】
本発明の第３の態様であるテレビドアホン装置は、複数の子機のカメラでそれぞれ撮像された映像を親機および／または増設親機のモニタに出画させ、パンチルトボタンを操作し、モニタに出画させる出画範囲を移動させるテレビドアホン装置であって、撮像された映像のうちパンチルトボタンの操作により指定された領域の映像を拡大／縮小するスケーラと、撮像された全体映像とスケーラにより指定された領域の映像を拡大／縮小した映像とを切り替えてモニタに出画するモニタ制御回路を備えるものである。
【００１４】
本発明の第４の態様であるテレビドアホン装置は、複数の子機のカメラでそれぞれ撮像された映像を親機および／または増設親機のモニタに出画させ、パンチルトボタンを操作し、モニタに出画させる出画範囲を移動させるテレビドアホン装置であって、撮像された映像のうちパンチルトボタンの操作により指定された領域の映像を拡大／縮小するスケーラと、撮像された全体映像とスケーラにより指定された領域の映像を拡大／縮小した映像との複数映像をモニタに合成出画するモニタ制御回路を備えるものである。
【００１５】
本発明の第５の態様であるテレビドアホン装置は、子機のカメラで撮像された映像を親機および／または増設親機のモニタに出画させ、パンチルトボタンを操作し、モニタに出画させる出画範囲を移動させ、子機のカメラで撮像された映像をメモリに静止画録画もしくは動画録画するテレビドアホン装置であって、録画された映像のうちパンチルトボタンの操作により指定された領域の映像を拡大／縮小するスケーラと、録画された全体映像とスケーラにより指定された領域の映像を拡大／縮小した映像とを切り替えてモニタに出画するモニタ制御回路を備えるものである。
【００１６】
本発明の第６の態様であるテレビドアホン装置は、子機のカメラで撮像された映像を親機および／または増設親機のモニタに出画させ、パンチルトボタンを操作し、モニタに出画させる出画範囲を移動させ、子機のカメラで撮像された映像をメモリに静止画録画もしくは動画録画するテレビドアホン装置であって、録画された映像のうちパンチルトボタンの操作により指定された領域の映像を拡大／縮小するスケーラと、録画された全体映像とスケーラにより指定された領域の映像を拡大／縮小した映像との複数映像をモニタに合成出画するモニタ制御回路を備えるものである。
【００１７】
本発明の第７の態様は、第２の態様、第４の態様及び第６の態様の何れかの態様であるテレビドアホン装置において、モニタ制御回路は、切替ボタンの操作によりモニタに合成出画する複数映像の表示位置、表示サイズを互いに切り替えるものである。
【発明の効果】
【００１８】
本発明の第１の態様乃至第７の態様のテレビドアホン装置によれば、次のような効果を奏する。
【００１９】
第１に、パンチルトボタンを操作してもカメラの角度が変化せず、またノイズも発生しないため、来訪者にパンチルト操作していることが察知されない。
【００２０】
第２に、親機のモニタと増設親機のモニタは、パンチルトボタンの操作により指定された領域の映像を個別に出画することができる。
【００２１】
第３に、１つの子機で来訪者の顔を局所的に拡大して確認したいという要求と、来訪者を含む玄関先の全体的な様子を確認したいという要求を両立させることができる。
【００２２】
第４に、１つの子機で来訪者の顔を局所的に拡大した映像と、来訪者を含む玄関先の全体的な様子を同時に確認することができる。
【００２３】
第５に、録画された来訪者の顔が外れていても、パンチルトボタンの操作によりモニタの画面に来訪者の顔を写して確認することができる。
【発明を実施するための最良の形態】
【００２４】
以下、本発明のテレビドアホン装置を適用した好ましい実施の形態例について、図面を参照して詳述する。
［実施例１］
図１は、本発明の第１の実施例におけるテレビドアホン装置のブロック図を示している。同図において、本発明のテレビドアホン装置は、玄関等に設置される子機１ａと、居室内に設置される親機３および増設親機５とを備えており、子機１ａは、第１の伝送路Ｌ１を介して親機３に接続され、この親機３には第２の伝送路Ｌ２を介して増設親機５が接続されている。
【００２５】
子機１ａは、呼出ボタン１１、親機３と通話をするためのマイク（以下「子機マイク」という。）１２とスピーカ（以下「子機スピーカ」という。）１３、来訪者を撮像する広角レンズを有するカメラ１４、親機３および増設親機５から送信される音声を増幅する第１の子機アンプ１５、子機１ａの子機マイク１２から送信される音声を増幅する第２の子機アンプ１６、カメラ１４の映像信号をデジタル圧縮映像データに変換する圧縮回路１７、親機３および増設親機５から送信されるデジタル音声データをアナログ音声信号に変換し、また第２の子機アンプ１６により増幅された子機マイク１２からのアナログ音声信号をデジタル音声データに変換するコーデック（以下「子機コーデック」という。）１８、親機３および増設親機５から送信されるパケットデータを制御データとデジタル音声データに分離し、また呼出ボタン１１から出力される呼出信号およびその他の制御データと圧縮回路１７から出力されるデジタル圧縮映像データと子機コーデック１８から出力されるデジタル音声データを合成しパケットデータ化するパケット処理部（以下「子機パケット処理部」という。）１９、親機３および増設親機５と接続し、パケットデータの交換をする送受信回路（以下「子機送受信回路」という。）２０の各部（回路）を備えている。ここで、子機パケット処理部１９は、呼出ボタン１１、圧縮回路１７、子機コーデック１８および子機送受信回路２０に接続され、圧縮回路１７にはカメラ１４が、子機コーデック１８には第１、第２の子機アンプ１５、１６が接続されている。また、第１の子機アンプ１５は子機スピーカ１３に、第２の子機アンプ１６は子機マイク１２に、子機送受信回路２０は第１の伝送路Ｌ１にそれぞれ接続されている。
【００２６】
親機３は、子機１ａと増設親機５を接続し、パケットデータの交換をする送受信回路（以下「親機送受信回路」という。）３１、子機１ａのカメラ１４からの画像の出画および録画した画像を再生し出画するモニタ（以下「親機モニタ」という。）３２、子機１ａとの通話をするための通話ボタン（以下「親機通話ボタン」という。）３３、マイク（以下「親機マイク」という。）３４およびスピーカ（以下「親機スピーカ」という。）３５、子機１ａの音声を増幅する第１の親機アンプ３６、親機マイク３４の音声を増幅する第２の親機アンプ３７、子機１ａから送信されるデジタル音声データをアナログ音声信号に変換し、また第２の親機アンプ３７により増幅された親機マイク３４からのアナログ音声信号をデジタル音声データに変換するコーデック（以下「親機コーデック」という。）３８、デジタル圧縮映像データ化されたカメラ１４の映像信号と録画されたデジタル圧縮映像データを伸張する伸張回路（以下「親機伸張回路」という。）３９、上下左右に１個ずつ配置された４個のボタンで構成され子機１ａのカメラ１４の撮像映像の出画範囲および録画映像の再生出画範囲を移動させるパンチルトボタン（以下「親機パンチルトボタン」という。）４０、親機３の各部（回路）を制御するＣＰＵ（以下「親機ＣＰＵ」という。）４１、親機伸張回路３９により、伸張されたデジタル映像データを格納し、また録画画像を保存するメモリ（以下「親機メモリ」という。）４２、親機メモリ４２に格納されたデジタル映像データのうち親機ＣＰＵ４１により指定された領域を切取り、拡大／縮小し、親機メモリ４２の空き領域に拡大／縮小したデジタル映像データを格納するスケーラ（以下「親機スケーラ」という。）４３、親機メモリ４２に格納されたデジタル映像データのうち親機ＣＰＵ４１により指定された１つの領域もしくは複数の領域を合成し親機モニタ３２に出画するモニタ制御回路（以下「親機モニタ制御回路」という。）４４、子機１ａから送信されるパケットデータを制御データとデジタル圧縮映像データとデジタル音声データに分離し、また親機ＣＰＵ４１から出力される制御データと親機コーデック３８から出力されるデジタル音声データと親機メモリ４２に保存されているデジタル圧縮映像データとを合成しパケットデータ化するパケット処理部（以下「親機パケット処理部」という。）４５、来訪者の映像を録画するタイミングを与える録画ボタン（以下「親機録画ボタン」という。）４６、録画された来訪者の映像を親機モニタ３２に出画するための再生ボタン（以下「親機再生ボタン」という。）４７および切替ボタン（以下「親機切替ボタン」という。）４８の各部（回路）を備えている。ここで、親機ＣＰＵ４１は、親機通話ボタン３３、親機コーデック３８、親機伸張回路３９、親機パンチルトボタン４０、親機スケーラ４３、親機モニタ制御回路４４、親機パケット処理部４５、親機録画ボタン４６、親機再生ボタン４７および親機切替ボタン４８に接続され、親機モニタ制御回路４４には親機モニタ３２および親機メモリ４２が、親機パケット処理部４５には親機送受信回路３１、親機コーデック３８および親機メモリ４２が、親機伸張回路３９には親機メモリ４２が、親機スケーラ４３には親機メモリ４２がそれぞれ接続されている。また、親機コーデック３８は、第１の親機アンプ３６を介して親機スピーカ３５に、第２の親機アンプ３７を介して親機マイク３４にそれぞれ接続され、さらに親機送受信回路３１は第１の伝送路Ｌ１を介して子機送受信回路２０に接続されている。
【００２７】
増設親機５は、子機１ａと増設親機５を接続し、パケットデータの交換をする送受信回路（以下「増設親機送受信回路」という。）５１、子機１ａのカメラ１４からの画像の出画および録画した画像を再生し出画するモニタ（以下「増設親機モニタ」という。）５２、子機１ａとの通話をするための通話ボタン（以下「増設親機通話ボタン」という。）５３、マイク（以下「増設親機マイク」という。）５４およびスピーカ（以下「増設親機スピーカ」という。）５５、子機１ａの音声を増幅する第１の増設親機アンプ５６、増設親機マイク５４の音声を増幅する第２の増設親機アンプ５７、子機１ａから送信されるデジタル音声データをアナログ音声信号に変換し、また増設親機アンプ５７により増幅された増設親機マイク５４からのアナログ音声信号をデジタル音声データに変換するコーデック（以下「増設親機コーデック」という。）５８、デジタル圧縮映像データ化されたカメラ１４の映像信号と録画されたデジタル圧縮映像データを伸張する伸張回路（以下「増設親機伸張回路」という。）５９、上下左右に１個ずつ配置された４個のボタンで構成され子機１ａのカメラ１４の撮像映像の出画範囲および録画映像の再生出画範囲を移動させるパンチルトボタン（以下「増設親機パンチルトボタン」という。）６０、増設親機３の各部（回路）を制御するＣＰＵ（以下「増設親機ＣＰＵ」という。）６１、増設親機伸張回路５９により、伸張されたデジタル映像データを格納し、また録画画像を保存するメモリ（以下「増設親機メモリ」という。）６２、増設親機メモリ６２に格納されたデジタル映像データのうち増設親機ＣＰＵ６１により指定された領域を切取り、拡大／縮小し、増設親機メモリ６２の空き領域に拡大／縮小したデジタル映像データを格納するスケーラ（以下「増設親機スケーラ」という。）６３、増設親機メモリ６２に格納されたデジタル映像データのうち増設親機ＣＰＵ６１により指定された１つの領域もしくは複数の領域を合成し増設親機モニタ５２に出画するモニタ制御回路（以下「増設親機モニタ制御回路」という。）６４、子機１ａから送信されるパケットデータを制御データとデジタル圧縮映像データとデジタル音声データに分離し、また増設親機ＣＰＵ６１から出力される制御データと増設親機コーデック５８から出力されるデジタル音声データと増設親機メモリ６２に保存されているデジタル圧縮映像データとを合成しパケットデータ化するパケット処理部（以下「増設親機パケット処理部」という。）６５、来訪者の映像を録画するタイミングを与える録画ボタン（以下「増設親機録画ボタン」という。）６６、録画された来訪者の映像を増設親機モニタ５２に出画するための再生ボタン（以下「増設親機再生ボタン」という。）６７および切替ボタン（以下「増設親機切替ボタン」という。）６８の各部（回路）を備えている。ここで、増設親機ＣＰＵ６１は、増設親機通話ボタン５３、増設親機コーデック５８、増設親機伸張回路５９、増設親機パンチルトボタン６０、増設親機スケーラ６３、増設親機モニタ制御回路６４、増設親機パケット処理部６５、増設親機録画ボタン６６、増設親機再生ボタン６７および増設親機切替ボタン６８に接続され、増設親機モニタ制御回路６４には増設親機モニタ５２および増設親機メモリ６２が、増設親機パケット処理部６５には増設親機送受信回路５１、増設親機コーデック５８および増設親機メモリ６２が、増設親機伸張回路５９には増設親機メモリ６２が、増設親機スケーラ６３には増設親機メモリ６２がそれぞれ接続されている。また、増設親機コーデック５８は、第１の増設親機アンプ５６を介して増設親機スピーカ５５に、第２の増設親機アンプ５７を介して増設親機マイク５４にそれぞれ接続され、さらに増設親機送受信回路５１は第２の伝送路Ｌ２を介して親機送受信回路３１に接続されている。
【００２８】
なお、親機パンチルトボタン４０（増設親機パンチルトボタン６０）は、第1の子機１ａまたは第２の子機１ｂのカメラ１４で撮像された映像のうち親機スケーラ４３（増設親機スケーラ６３）で拡大／縮小する領域を指定するために用いられるものであるので、親機パンチルトボタン４０（増設親機パンチルトボタン６０）の操作により、第1の子機１ａまたは第２の子機１ｂのカメラ１４の角度が移動するものではない。
【００２９】
次に、このように構成された本発明のテレビドアホン装置の動作について説明する。
【００３０】
最初に、来訪者が子機１ａの呼出ボタン１１を押下して親機３および増設親機５を呼び出す場合の動作について説明する。なお、呼出ボタン１１が押下されると、増設親機５は親機３と同様の動作をすることから、ここでは増設親機５の動作の説明を省略する。
【００３１】
まず、来訪者が子機１ａの呼出ボタン１１を押下すると、デジタル化された呼出信号が子機パケット処理部１９へ送信され、当該子機パケット処理部１９においてパケットデータ化される。そして、パケットデータ化された呼出信号が子機送受信回路２０、第１の伝送路Ｌ１、親機送受信回路３１および親機パケット処理部４５を介して親機ＣＰＵ４１へ送信され、当該親機ＣＰＵ４１は、呼出信号から呼出音を作成して親機コーデック３８へ送信し、第１の親機アンプ３６において増幅されて親機スピーカ３５へ送信される。これにより、親機スピーカ３５から呼出音が鳴動する。
【００３２】
また、これと共に、子機１ａのカメラ１４で撮像された映像信号が圧縮回路１７においてデジタル圧縮映像データ化され、デジタル圧縮映像データ化された映像信号が子機パケット処理部１９へ送信され、当該子機パケット処理部１９においてパケットデータ化される。そして、パケットデータ化された映像信号が子機送受信回路２０、第１の伝送路Ｌ１、親機送受信回路３１および親機パケット処理部４５を介して親機メモリ４２へ送信され、当該親機メモリ４２にデジタル圧縮映像データ（圧縮映像）が格納される。
【００３３】
親機メモリ４２に格納されたデジタル圧縮映像データは、親機伸張回路３９により伸張され、図２（ａ）に示すように、第１のデジタル映像データ（映像１）として再度、親機メモリ４２の別領域に格納される。
【００３４】
ここで、居住者が来訪者の映像を所望の位置に表示させるために、親機パンチルトボタン４０を操作すると、パンチルト制御信号が親機ＣＰＵ４１へ送信され、かかるパンチルト制御信号が親機ＣＰＵ４１で検出されると、親機ＣＰＵ４１の制御により、映像の切取り座標、サイズおよび拡大／縮小率が親機スケーラ４３へ送信される。
【００３５】
親機スケーラ４３は、カメラ１４から送信され親機メモリ４２に格納されている来訪者の映像１（第１のデジタル映像データ）から親機ＣＰＵ４１から指示された映像２を切り取り、拡大もしくは縮小する（図２（ａ）の実施例では切り取った映像２を拡大している）。
【００３６】
このようにして切り取り、拡大もしくは縮小された映像２は、親機モニタ制御回路４４の制御により、例えば、図２（ａ）に示すように、切取り、拡大された映像２と全体の映像１とが合成され、親機モニタ３２に合成された複数の映像（映像１および映像２）が出画される。この場合、親機モニタ制御回路４４の制御により、図２（ｂ）に示すように、子機１ａのカメラ１４で撮像された全体映像（映像１）と親機スケーラ４３により指定された領域の映像を拡大／縮小した映像（映像２）とを切り替えて出画させることができる。
【００３７】
一方、居住者は来訪者を確認した後、親機録画ボタン４６を押下すると録画信号が親機ＣＰＵ４１へ送信され、かかる録画信号が親機ＣＰＵ４１で検出されると、親機ＣＰＵ４１の制御により、図２（ａ）に示すように、第1のデジタル圧縮映像データ（圧縮映像）が親機メモリ４２の映像保存領域に保存される。これにより、来訪者の映像を瞬時に録画することができる。この場合、親機録画ボタン４６を押下しなくとも、呼出ボタン１１を押下したのち、１秒後、５秒後、９秒後、１３秒後の４画像が自動的に録画される。
【００３８】
来訪者の呼び出しに応答するため、居住者が親機通話ボタン３３を押下すると、第１の伝送路Ｌ１を介して、子機１ａの通話機能（子機マイク１２および子機スピーカ１３）と、親機３の通話機能（親機マイク３４および親機スピーカ３５）間に通話路が形成され、これにより、来訪者、居住者間の通話が成立する。
【００３９】
次に、居住者が親機再生ボタン４７を押下すると、再生信号が親機ＣＰＵ４１へ送信され、かかる再生信号が親機ＣＰＵ４１で検出されると、親機ＣＰＵ４１の制御により、前述と同様に、親機メモリ４２に格納されたデジタル圧縮映像データが親機伸張回路３９により伸張され、図２（ａ）に示すように、映像１として再度、親機メモリ４２の別領域に格納される。
【００４０】
そして、居住者が親機パンチルトボタン４０を操作すると、前述と同様に、パンチルト制御信号が親機ＣＰＵ４１へ送信され、かかるパンチルト制御信号が親機ＣＰＵ４１で検出されると、親機ＣＰＵ４１の制御により、映像の切取り座標、サイズおよび拡大／縮小率が親機スケーラ４３へ送信され、親機スケーラ４３において、親機メモリ４２に格納されている来訪者の映像１から親機ＣＰＵ４１から指示された映像２が切り取られ、拡大もしくは縮小される。
【００４１】
このようにして切取り、拡大もしくは縮小された映像２は、前述と同様に、親機モニタ制御回路４４の制御により、切取り、拡大された映像２と全体の映像１とが合成され、親機モニタ３２に合成された複数の映像（映像１および映像２）が出画される。
【００４２】
次に、居住者が切替ボタン４８を押下すると、切替信号が親機ＣＰＵ４１へ送信され、かかる切替信号が親機ＣＰＵ４１で検出されると、親機モニタ制御回路４４が制御され、これにより、親機モニタ３２に合成出画する複数映像の表示位置、表示サイズを互いに切り替えることができる。
【００４３】
以上のように、本発明の第１の実施例におけるテレビドアホン装置によれば、親機パンチルトボタン４０の操作により、撮像された全体映像とスケーラにより指定された領域の映像を拡大／縮小した映像とを切り替えて親機モニタ３２に出画させることができ、また、撮像された全体映像とスケーラにより指定された領域の映像を拡大／縮小した映像との複数映像を親機モニタ３２に合成出画させることができる。
［実施例２］
図３は、本発明の第２の実施例におけるテレビドアホン装置のブロック図を示している。なお、同図において、図１と共通する部分には同一の符号を付して詳細な説明を省略する。
【００４４】
この実施例においては、第１の玄関等に設置される子機１ａ（以下「第１の子機１ａ」という。）と、第２の玄関等に設置される子機１ｂ（以下「第２の子機１ｂ」という。）と、居室内に設置される親機３および増設親機５とを備えており、第１の子機１ａは、第１の伝送路Ｌ１を介して、第２の子機１ｂは、第３の伝送路Ｌ３を介して親機３にそれぞれ接続され、この親機３には第２の伝送路Ｌ２を介して増設親機５が接続されている。
【００４５】
第２の子機１ｂは、第１の子機１ａと同様の構成とされ、第２の子機１ｂの子機送受信回路２０は第３の伝送路Ｌ３を介して親機送受信回路３１に接続されている。
【００４６】
この実施例においても、撮像された映像のうち親機パンチルトボタン４０の操作により指定された領域の映像を拡大／縮小する親機スケーラ４３を備えていることから、前述の実施例と同様に、親機モニタ制御回路４４の制御により、撮像された全体映像と親機スケーラ４３により指定された領域の映像を拡大／縮小した映像とを切り替えて、若しくは全体映像と親機スケーラ４３により指定された領域の映像を拡大／縮小した映像との複数映像を合成して親機モニタ３２に出画させることができる。
【００４７】
また、親機切替ボタン４８を備えることから、当該親機切替ボタン４８の押下により、親機モニタ制御回路４４が制御され、前述と同様に、親機モニタ３２に合成出画する複数映像の表示位置、表示サイズを互いに切り替えることができる。
【００４８】
さらに、増設親機５は親機３と同様の動作をすることから、第1の子機１ａまたは第２の子機１ｂのカメラ１４で撮像された映像を増設親機モニタ５５に出画させることができ、また、増設親機パンチルトボタン６０の操作により、増設親機モニタ５５に出画させる出画範囲を独自に移動させることができ、さらに、増設親スケーラ６３により、増設親機メモリ６２に録画された映像のうち増設親機パンチルトボタン６０の操作により指定された領域の映像を独自に拡大／縮小することができ、また、録画された全体映像と増設親スケーラ６３により指定された領域の映像を拡大／縮小した映像との複数映像を増設親モニタ５２に独自に合成出画させることができる。
【産業上の利用可能性】
【００４９】
本発明は、特許請求の範囲内で、次のように、変更、修正を加えることができる。
【００５０】
第1に、前述の実施例においては、来訪者が子機１ａの呼出ボタン１１を押下して親機３を呼び出す場合の動作について説明しているが、来訪者が子機１ａの呼出ボタン１１を押下して増設親機５を呼び出す場合、または、来訪者が子機１ｂの呼出ボタン１１を押下して親機３若しくは増設親機５を呼び出す場合も、前述と同様の効果を奏する。
【００５１】
第２に、前述の実施例においては、カメラ１４で撮像された映像を親機メモリ４２に静止画として録画する場合について説明しているが、動画として録画することもできる。
【図面の簡単な説明】
【００５２】
【図１】本発明の第１の実施例におけるテレビドアホンのブロック図。
【図２】本発明のテレビドアホンにおけるメモリ内およびモニタの出画状況を示す説明図で、（ａ）はメモリ内およびモニタの出画状況を示す説明図、（ｂ）は拡大画面と全体画面を合成してモニタに出画させた場合の説明図。
【図３】本発明の第２の実施例におけるテレビドアホンのブロック図。
【符号の説明】
【００５３】
１ａ・・・子機（第1の子機）
１ｂ・・・子機（第２の子機）
１４・・・カメラ
３・・・親機
３２・・・モニタ（親機モニタ）
４０・・・パンチルトボタン（親機パンチルトボタン）
４３・・・スケーラ（親機スケーラ）
４４・・・モニタ制御回路（親機モニタ制御回路）
４８・・・切替ボタン（親機切替ボタン）
５・・・増設親機
５２・・・モニタ（増設親機モニタ）
６０・・・パンチルトボタン（増設親機パンチルトボタン）
６３・・・スケーラ（増設親機スケーラ）
６４・・・モニタ制御回路（増設親機モニタ制御回路）
６８・・・切替ボタン（増設親機切替ボタン）
【図１】
2006101327.tif 000003
【図２】
2006101327.tif 000004
【図３】
2006101327.tif 000005